(57)【特許請求の範囲】
【請求項１】
セルラーネットワーク（１００）の少なくとも１のセル（１０１、１０１−１  −  １０１−３、１０２、１０３）の帯域（２００）で無線で送受信する、ように構成されるアナログトランシーバ（９０５）と、
前記アナログトランシーバ（９０５）と結合し、前記アナログトランシーバ（９０５）を経由して前記セルラーネットワーク（１００）と通信する、ように構成されるデータインターフェースと、
前記データインターフェースと結合し、前記セルラーネットワーク（１００）から前記データインターフェースを経由して、測定帯域（３００−３１３）を示す少なくとも１の制御メッセージ（８０１、８１１、８１２、８２２）を受信する、ように構成される少なくとも１のプロセッサと、
を含み、
前記少なくとも１のプロセッサは、前記測定帯域（３００−３１３）で受信される信号の信号品質の測定を実行するために、前記アナログトランシーバ（９０５）を制御する、ように構成され、
前記測定帯域（３００−３１３）は、接続セル（１０２）の前記帯域（２００）中に配置され、
機器は、前記セルラーネットワーク（１００）に前記接続セル（１０２）を経由して接続され、
前記測定された信号品質が、受信信号強度、受信信号強度インジケータ、複数のリファレンス信号の合計の平均受信電力、受信信号電力、リファレンス信号受信電力、信号強度と受信信号電力との間の関係、リファレンス信号受信品質、を含むグループから選択される、機器（１２０）。
【請求項２】
前記少なくとも１の制御メッセージは、前記接続セル（１０２）の前記帯域に対して、前記測定帯域を相対的に指定する、請求項１に記載の機器（１２０）。
【請求項３】
前記少なくとも１の制御メッセージは、前記接続セル（１０２）から受信されるリファレンス信号の信号品質の測定を実行するように促す、請求項１もしくは２のいずれか一項に記載の機器（１２０）。
【請求項４】
前記測定帯域（３００−３１３）は、前記接続セル（１０２）の前記帯域（２００）の小部分である、請求項１〜３のいずれか一項に記載の機器（１２０）。
【請求項５】
前記少なくとも１の制御メッセージ（８０１、８１１、８１２、８２２）は、前記測定帯域（３００−３１３）を絶対的に示すインジケータを含む、請求項１に記載の機器（１２０）。
【請求項６】
前記少なくとも１の制御メッセージ（８０１、８１１、８１２、８２２）は、前記接続セル（１０１、１０１−１  −  １０１−３、１０２、１０３）の前記帯域（２００）の少なくとも１の帯域幅（２０１）および、前記接続セル（１０２）の前記帯域（２００）の中央の周波数に対して、前記測定帯域（３００−３１３）を示すインジケータを含む、請求項２に記載の機器（１２０）。
【請求項７】
前記少なくとも１の制御メッセージ（８０１、８１１、８１２、８２２）は、前記接続セル（１０１、１０１−１  −  １０１−３、１０２、１０３）を示すインジケータ含む、請求項２に記載の機器（１２０）。
【請求項８】
前記少なくとも１のプロセッサは、前記セルラーネットワーク（１００）から前記接続セル（１０１、１０１−１  −  １０１−３、１０２、１０３）の前記帯域（２００）で、前記データインターフェースを経由して、前記少なくとも１の制御メッセージ（８０１、８１１、８１２、８２２）を受信するように構成される、請求項１〜７のいずれか一項に記載の機器（１２０）。
【請求項９】
前記少なくとも１のプロセッサは、前記セルラーネットワーク（１００）に前記データインターフェースを経由して、前記測定された信号品質を示すインジケータを含むレポートメッセージ（８０３、８１４、８２４）を送信する、請求項１〜８のいずれか一項に記載の機器（１２０）。
【請求項１０】
前記少なくとも１の制御メッセージ（８０１、８１１、８１２、８２２）は、タイムスケジュールを示し、
前記少なくとも１のプロセッサは、前記タイムスケジュールに基づき、前記測定帯域（３００−３１３）で受信される前記信号の信号品質の複数の時間間隔測定を連続的に実行するために、前記アナログトランシーバ（９０５）を制御するように構成される、請求項１〜９のいずれか一項に記載の機器（１２０）。
【請求項１１】
前記少なくとも１の制御メッセージ（８０１、８１１、８１２、８２２）は、複数の測定帯域（３００−３１３）を示し、
前記少なくとも１のプロセッサは、前記複数の測定帯域（３００−３１３）の各々で受信される前記信号の信号品質の測定を実行するために、前記アナログトランシーバ（９０５）を制御する、ように構成される、請求項１〜１０のいずれか一項に記載の機器（１２０）。
【請求項１２】
セルラーネットワーク（１００）から、測定帯域（３００−３１３）を示す少なくとも１の制御メッセージ（８０１、８１１、８１２、８２２）を受信することと、
前記測定帯域（３００−３１３）で受信される信号の信号品質の測定を実行するために、アナログトランシーバ（９０５）を制御することと、
を含み、
前記測定帯域（３００−３１３）は、前記アナログトランシーバ（９０５）が無線で通信するように構成される、接続セル（１０１、１０１−１  −  １０１−３、１０２、１０３）の帯域（２００）内に配置され、
機器は、前記接続セルを経由して、前記セルラーネットワーク（１００）に接続され、
前記測定された信号品質が、受信信号強度、受信信号強度インジケータ、複数のリファレンス信号の合計の平均受信電力、受信信号電力、リファレンス信号受信電力、信号強度と受信信号電力との間の関係、リファレンス信号受信品質、を含むグループから選択される、
機器を動作させる方法。
【請求項１３】
少なくとも１のセル（１０１、１０１−１  −  １０１−３、１０２、１０３）の接続セル（１０１、１０１−１  −  １０１−３、１０２、１０３）を経由して、セルラーネットワーク（１００）に接続される端末と通信するように構成されるデータインターフェースと、
前記データインターフェースと結合して、ターミナルへ前記データインターフェースを経由して、測定帯域（３００−３１３）を示し、前記測定帯域（３００−３１３）で受信される信号の信号品質の測定の実行を前記端末に促す前記少なくとも１の制御メッセージ（８０１、８１１、８１２、８２２）を送信するように構成される、少なくとも１のプロセッサと、
を含み、
前記測定帯域（３００−３１３）は、前記少なくとも１のセル（１０１、１０１−１  −  １０１−３、１０２、１０３）の帯域（２００）と異なり、
前記少なくとも１のプロセッサは、前記端末から前記データインターフェースを経由して、前記測定された信号品質を示すインジケータを含むレポートメッセージ（８０３、８１４、８２４）を受信するように構成され、
前記少なくとも１のプロセッサは、前記測定された信号品質に応じて前記少なくとも１のセル（１０１、１０１−１  −  １０１−３、１０２、１０３）の前記帯域（２００）を変更するように構成され、前記測定された信号品質が、受信信号強度、受信信号強度インジケータ、複数のリファレンス信号の合計の平均受信電力、受信信号電力、リファレンス信号受信電力、信号強度と受信信号電力との間の関係、リファレンス信号受信品質、を含むグループから選択される、セルラーネットワーク（１００）のネットワークノード（３０１、３０２、３０３、３５０）。
【請求項１４】
セルラーネットワーク（１００）に接続される端末へ、少なくとも１のセル（１０１、１０１−１  −  １０１−３、１０２、１０３）の接続セル（１０１、１０１−１  −  １０１−３、１０２、１０３）を経由して、測定帯域（３００−３１３）を示し、前記測定帯域（３００−３１３）で受信される信号の信号品質の測定の実行を前記端末に促す、少なくとも１の制御メッセージ（８０１、８１１、８１２、８２２）を送信することと、
前記端末から、前記測定された信号品質を示すインジケータを含むレポートメッセージを受信することと、
前記測定された信号品質に応じて、前記少なくとも１のセルの帯域を変更することと、
を含み、
前記測定帯域（３００−３１３）は、前記接続セル（１０１、１０１−１  −  １０１−３、１０２、１０３）の帯域（２００）内に配置され、前記測定された信号品質が、受信信号強度、受信信号強度インジケータ、複数のリファレンス信号の合計の平均受信電力、受信信号電力、リファレンス信号受信電力、信号強度と受信信号電力との間の関係、リファレンス信号受信品質、を含むグループから選択される、方法。
【請求項１５】
前記変更は、前記端末が前記セルラーネットワークに接続される接続セルの複数のサブセルの帯域を修正することによりリソーススライシングを実行することと、
を含み、
前記サブセルは、同じ時間周波数リソースグリッドの部分を使用する、
請求項１４に記載の方法。
【請求項１６】
前記リソーススライシングは、前記接続セルの物理ペイロードチャネルの帯域について実行される、請求項１５に記載の方法。
【請求項１７】
前記リソーススライシングは、狭帯域および広帯域システムの共在に相当する、請求項１５もしくは１６のいずれか一項に記載の方法。
【請求項１８】
前記端末へ前記測定帯域上で前記信号を送信すること、をさらに含む請求項１４〜１７のいずれか一項に記載の方法。
【発明の詳細な説明】
【技術分野】
【０００１】
様々な実施形態は、信号品質の測定を実行するように構成される機器、および対応する方法に関する。様々な実施形態は、信号品質の測定を実施するように促す少なくとも１の制御メッセージを送信するように構成される、セルラーネットワークのネットワークノード、および対応する方法に関する。
【背景技術】
【０００２】
セルラーネットワークは、モバイルコミュニケーションを促進するために、広く用いられている。異なる無線アクセス技術（ＲＡＴｓ）は、例えば、３ｒｄ  Ｇｅｎｅｒａｔｉｏｎ  Ｐａｒｔｎｅｒｓｈｉｐ  Ｐｒｏｊｅｃｔ（３ＧＰＰ）などを含めて知られている。３ＧＰＰ  ＲＡＴｓは、Ｌｏｎｇ  Ｔｅｒｍ  Ｅｖｏｌｕｔｉｏｎ（ＬＴＥ）プロトコル、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）プロトコルおよびＧｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）を含む。
【０００３】
例えば、ＬＴＥ  ＲＡＴについてセルラーネットワークのあるセルの帯域内で受信される信号の信号品質を測定し報告するための、ＬＴＥ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）無線インターフェースを経由して、セルラーネットワークに接続された端末に促すことが知られていて、例えば、３ＧＰＰ  Ｔｅｃｈｎｉｃａｌ  Ｓｐｅｃｉｆｉｃａｔｉｏｎ（ＴＳ）３６．３３１  Ｖ．１２．６．０（２０１５）、セクション５．５“Ｍｅａｓｕｒｅｍｅｎｔｓ”を参照すること。
【０００４】
しかしながら、そのような技術は若干の制約と欠点に直面している。例えば、リファレンス実装によれば、測定についての要求は、セルラーネットワークのセルの帯域に相当する測定帯域を対象にしている。
【発明の概要】
【課題を解決するための手段】
【０００５】
それ故に、セルラーネットワーク内の信号品質の測定の進歩した技術についての需要が存在する。特に、様々な測定帯域内の信号品質の柔軟な測定の技術ついての需要が存在する。
【０００６】
この需要は、独立クレームの特徴によって満たされる。従属クレームは、実施形態を定義する。
【０００７】
一の特徴によれば、機器は提供される。前記機器は、セルラーネットワークの少なくとも１のセルの帯域で無線で送受信する、ように構成されるアナログトランシーバを含む。前記機器はさらに、アナログトランシーバと結合するデータインターフェースを含む。前記データインターフェースは、前記アナログトランシーバを経由して前記セルラーネットワークと通信する、ように構成される。当該機器はさらに、前記データインターフェースと結合される少なくとも１のプロセッサを含む。前記少なくとも１のプロセッサは、前記セルラーネットワークから前記データインターフェースを経由して、少なくとも１の制御メッセージを受信する、ように構成される。前記少なくとも１の制御メッセージは、測定帯域を示す。前記少なくとも１のプロセッサは、前記測定帯域で受信される信号の信号品質の測定を実行するために、前記アナログトランシーバを制御するように構成される。
【０００８】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【０００９】
いくつかのシナリオで、前記機器は、前記セルラーネットワークに接続された端末でもよい。いくつかのシナリオで、前記機器は、前記セルラーネットワークのアクセルポイントノードでもよい。
【００１０】
一の特徴によれば、方法は提供される。前記方法は、セルラーネットワークから、少なくとも１の制御メッセージを受信することを含む。前記少なくとも１の制御メッセージは、測定帯域を示す。前記方法はさらに、前記測定帯域で受信される信号の信号品質の測定を実行するために、アナログトランシーバを制御することを含む。
【００１１】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【００１２】
一の特徴によれば、セルラーネットワークのネットワークノードは提供される。前記ネットワークノードは、前記セルラーネットワークの少なくとも１のセルの接続セルを経由して、前記セルラーネットワークに接続される端末と通信するように構成されるデータインターフェースを含む。前記ネットワークノードは、前記データインターフェースと結合される少なくとも１のプロセッサを含む。前記少なくとも１のプロセッサは、前記端末へ前記データインターフェースを経由して、前記少なくとも１の制御メッセージを送信する、ように構成される。前記少なくとも１の制御メッセージは、測定帯域を示し、前記測定帯域で受信される信号の信号品質の測定の実行を前記端末に促す。
【００１３】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【００１４】
一の特徴によれば、方法は提供される。セルラーネットワークに接続された端末へ少なくとも１の接続セルを経由して、少なくとも１の制御メッセージを送信することを含む。前記少なくとも１の制御メッセージは、測定帯域を示す。前記少なくとも１の制御メッセージは、前記測定帯域で受信される信号の信号品質の測定の実行を前記端末に促す。
【００１５】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【００１６】
一の特徴によれば、少なくとも１のプロセッサにより実行されるプログラムコードを含むコンピュータプログラムプロダクトが提供される。前記少なくとも１のプロセッサによるプログラムコードの実行は、前記少なくとも１のプロセッサに方法を実行させる。前記方法は、セルラーネットワークから少なくとも１の制御メッセージを受信することを含む。前記少なくとも１の制御メッセージは、測定帯域を示す。前記方法はさらに、前記測定帯域で受信される信号の信号品質の測定を実行するように、アナログトランシーバを制御することを含む。
【００１７】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【００１８】
一の特徴によれば、少なくとも１のプロセッサにより実行されるプログラムコードを含むコンピュータプログラムプロダクトが提供される。前記少なくとも１のプロセッサによるプログラムコードの実行は、前記少なくとも１のプロセッサに方法を実行させる。前記方法は、前記セルラーネットワークに接続された端末へ、前記セルラーネットワークの少なくとも１のセルの接続セルを経由して、少なくとも１の制御メッセージを送信することを含む。前記少なくとも１の制御メッセージは、測定帯域を示す。前記少なくとも１の制御メッセージは、前記測定帯域で受信される信号の信号品質の測定を実行するように、前記端末に促すことを含む。
【００１９】
いくつかのシナリオで、前記測定帯域は、前記少なくとも１のセルの前記帯域と異なってもよい。いくつかのシナリオで、替わりに、もしくは加えて、前記少なくとも１の制御メッセージは、前記測定帯域を絶対的に示すインジケータを含んでもよい。いくつかのシナリオで、替わりに、もしくは加えて、前記少なくとも１の制御メッセージは、前記少なくとも１のセルのターゲットセルの前記帯域の少なくとも１の帯域幅および、前記ターゲットセルの前記帯域の中央の周波数に対して、前記測定帯域を相対的に示すインジケータを含んでもよい。
【００２０】
上で述べた特徴および以下でこれから説明される特徴は、それぞれ示される組み合わせ内だけでなく、他の組み合わせもしくは孤立して、本発明の範囲から逸脱することが無く、使用されることが可能である。上述した特徴の機能および実施形態は、他の実施形態内で互いに組み合わされてもよい。
【図面の簡単な説明】
【００２１】
上述の、および追加の本発明の特徴および効果は、同様の参照番号が同様の要素を参照する添付図面と合わせて読むならば、以下の詳細な説明から明らかになるだろう。
【００２２】
【図１】図１は、複数のセルラーネットワークのセルの概略的な図である。
【図２】図２は、図１のセルラーネットワークのアーキテクチャの概略的な図である。
【図３】図３は図１のセルラーネットワークの複数のセルの帯域を示し、図３は様々なシナリオによる複数のセルの帯域に関連がある時間周波数リソース割り当てスキームを示す。
【図４】図４は、様々な実施形態による信号品質の測定が促され実行される測定帯域を示し、図４は図１の複数のセルの与えられたひとつの帯域に対して、測定帯域を示す。
【図５】図５は、セルラーネットワークとセルラーネットワークに接続され、様々な実施形態による信号品質の測定を実行している端末との間の通信の信号伝達のダイアグラムであり、図５の本実施形態内で、制御メッセージは測定帯域を絶対的に示すインジケータを含む。
【図６】図６は、様々な実施形態によるセルラーネットワークと信号品質の測定を実行している端末との間の通信の信号伝達のダイアグラムであり、図６の本実施形態内で、制御メッセージは、セルラーネットワークの複数のセルのターゲットセルの帯域の中央の周波数に対して、測定帯域を相対的に示すインジケータを含む。
【図７】図７は、様々な実施形態によるセルラーネットワークと信号品質の測定を実行している端末との間の通信の信号伝達のダイアグラムであり、図７の本実施形態内で、制御メッセージはさらに、セルラーネットワークの複数のセルのターゲットセルの帯域の中央の帯域幅を示すインジケータを含む。
【図８】図８は、信号品質の測定を実行するように構成される端末を概略的に示す。
【図９】図９は、セルラーネットワークの複数のセルの与えられたセルを確立させるアクセルポイントノードを概略的に示す。
【図１０】図１０は、様々な実施形態によるセルラーネットワークのコアのネットワークノードを概略的に示す。
【図１１】図１１は、様々な実施形態による方法のフローチャートであり、当該方法は図８の端末により実行される。
【図１２】図１２は、様々な実施形態による方法のフローチャートである。
【図１３】図１３は、セルラーネットワークにより受信されるレポートメッセージに応じた時間の関数の通りに動的に調整される時間周波数リソーススキームを示し、当該レポートメッセージは、測定帯域の測定された信号品質を示している。
【発明を実施するための形態】
【００２３】
本発明の例示的な実施形態を、図面を参照して説明していく。いくつかの実施形態は、適用の特定の分野の観点から、例えば明白なスペクトルの範囲および通信技術の観点から、説明されていく一方で、本実施形態はこの適用の分野に限定されない。当該様々な実施形態は、明確に述べられていない限り、互いに組み合わされ得る。
【００２４】
図面は、概略的な説明であると見なされるべきであり、図面中に示される要素は必ずしも一定の縮尺で表されるわけではない。それどころか、様々な要素は、それらの作用および通常の目的が当業者にとって明白であるように表されている。図面の中に示され、もしくはこの中で説明されている、機能ブロック、機器、部品、もしくは他の物理的もしくは機能的な一群との間の接続もしくは結合はまた、間接的な接続もしくは結合によって実装されてもよい。部品間の結合はまた、無線接続越しで確立されてもよい。機能ブロックはまた、ハードウェア、ファームウェア、ソフトウェアもしくはそれらの組み合わせ内で実装されてもよい。
【００２５】
以下に、測定帯域で受信される信号の信号品質の測定の技術が示される。当該帯域は、電磁気スペクトルの区域、例えば５００ＭＨｚ−６ＧＨｚの範囲だけでなく、現代の無線アクセス技術についての６ＧＨｚ以上でもよい。当該帯域は、上位の周波数、下位の周波数、中央の周波数、帯域幅により規定されてもよい。
【００２６】
一般的に、当該技術は、端末（ＵＥ）とセルラーネットワークとの間のアップリンク（ＵＬ）もしくはダウンリンク（ＤＬ）方向内で通信される信号のために適用され得る。そのようなものとして、測定は、ＤＬにおいてＵＥによって、もしくはＵＬにおいてセルラーネットワークのアクセルポイントノードによって実行される。
【００２７】
様々な実施形態によれば、機器はアナログトランシーバ、データインターフェースおよび少なくとも１のプロセッサを含む。アナログトランシーバは、セルラーネットワークの少なくとも１のセルの帯域で無線で送受信するように構成される。データインターフェースは、アナログトランシーバと結合し、アナログトランシーバを経由してセルラーネットワークと通信するように構成される。少なくとも１のプロセッサは、データインターフェースと結合し、セルラーネットワークからデータインターフェースを経由して、少なくとも１の制御メッセージを受信するように構成される。少なくとも１の制御メッセージは、測定帯域を示す。少なくとも１のプロセッサは、受信される信号の信号品質の測定の実行のために、アナログトランシーバを制御する、ように構成される。
【００２８】
いくつかのシナリオで、測定帯域は、少なくとも１のセルの帯域と異なってもよい。例えば、測定帯域は機器の付近に位置するセルの帯域と異なってもよい。いくつかのシナリオで、少なくとも１の制御メッセージは、測定帯域を絶対的に示してもよく、ここで、少なくとも１のセルの帯域に関連した固有の関係性が無いことが要求されてもよい。いくつかのシナリオで、少なくとも１の制御メッセージは、少なくとも１のセルのターゲットセルの帯域に対して、測定を相対的に示してもよい。
【００２９】
以下で説明される技術により、様々な測定帯域についての信号品質の測定を柔軟に促し実行することを可能にする。特に、測定の実行は、存在するセルの帯域により、スペクトルの既存の部分に縛られない。
【００３０】
以下に、様々なシナリオを、３ＧＰＰ  ＬＴＥ  ＲＡＴを参照しながら説明していく。しかしながら、これは示す目的だけのためであり、類似の技術は、ＵＭＴＳ、ＧＳＭを含むがそれらに限定されない、様々な種類のＲＡＴに容易に適用され得る。
【００３１】
測定される信号品質の個別の種類は、以下に開示される様々な例の機能と密接な関係は無い。例えば、様々な例に関して、測定された信号品質は、受信信号強度、受信信号強度インジケータ（ＲＳＳＩ）、複数のリファレンス信号の合計の平均受信電力、受信信号電力、リファレンス信号受信電力（ＲＳＲＰ）、信号強度と受信信号電力との間の関係、リファレンス信号受信品質（ＲＳＲＱ）、を含むグループから選択されてもよい。
【００３２】
ＲＳＲＰは、例えばＷａｔｔｓの分野で、考慮される測定帯域の中でセル固有のリファレンス信号を運ぶリソース要素の電力寄与にわたる線形平均として、定義され得る。３ＧＰＰ  ＴＳ  ３６．２１４  ｖ１２．２．０，２０１５−０３，ｓｅｃｔｉｏｎ５．１．１を参照すること。
【００３３】
ＲＳＳＩは、考慮される測定帯域内で受信される全体の電力として定義され得る。３ＧＰＰ  ＴＳ  ３６．２１４  ｖ１２．２．０，２０１５−０３，ｓｅｃｔｉｏｎ５．１．５を参照すること。
【００３４】
ＲＳＲＱは、使用されるリソースブロック（ＲＳ）の数および同じ帯域幅全体にわたって測定されるＲＳＳＩおよびＲＳＲＰに基づき、すなわち下記の数式（１）により、決定される。３ＧＰＰ  ＴＳ  ３６．２１４  ｖ１２．２．０，２０１５−０３，ｓｅｃｔｉｏｎ５．１．３を参照すること。
【００３５】
【数１】
0006668463.tif 000002
【００３６】
図１は、セルラーネットモバイルコミュニケーションネットワーク１００（以下簡潔さのためにセルラーネットワークと省略）の異なるセル１０１−１０３についての特徴を概略的に示す。図に示されるように、シナリオはあり得て、セルラーネットワーク１００に接続されたＵＥ１２０は、ＵＥ１２０のアナログトランシーバ（図１に表されていない）が複数のセル１０１−１０３の帯域で送受信が可能であるように、位置している。図１の例の中で、ＵＥ１２０は、セルラーネットワーク１００とのコミュニケーションが各々のセル１０１−１０３を経由して可能な重なり合う領域に位置している。ＵＥ１２０は、セル１０１−１０３の各々の範囲にある。
【００３７】
ＵＥ１２０の種類は、以下に示されるように技術の機能と密接な関係が無い。以下に開示される様々なシナリオ内で、ＵＥ１２０は、モバイル機器、モバイル電話、スマートフォン、タブレット、パーソナルデジタルアシスタント、モバイル音楽プレーヤー、スマートウォッチ、ウェアラブル電気装備、モバイルコンピュータ、を含むグループから選択されてもよい。
【００３８】
図２は、セルラーネットワークのアーキテクチャをより詳細に概略的に示す。図２に示されるように、ＵＥ１２０は、セル１０２を確立しているアクセルポイントノードを経由して、セルラーネットワーク１００に接続されることが可能であり、ＵＥ１２０が接続する与えられたセル１０２は、接続セルと呼ばれる。無線インターフェース１１５は、アクセルポイントノード３０２とＵＥ１２０との間に存在している（図２に破線により示される）。例えば、パケット化される、もしくはパケット交換方式（ＰＳ）のデータ伝送を含む通信及び／又は回路交換方式通信、例えば音声電話、はアクセルポイントノード３０２を経由して実装されることが可能である。これのために、セルラーネットワーク１００のコアのネットワークノード３５０は、ＵＥ１２０と通信するように構成されてもよく、例えばネットワークノード３５０は、移動性アンカー機能を提供するデータプレーンのゲートウェイノードでもよい。いくつかのシナリオで、ネットワークノード３５０はまた、セルラーネットワーク１００のコアの制御プレーンのノードでもよい。
【００３９】
図３は、様々なセル１０１−１０３の帯域２００で通信されるデータとの間の干渉を軽減する及び／又は衝突を減らすための、セルラーネットワーク１００により用いられる時間周波数リソース割り当てスキームの特徴を示す。図３は、様々なセル１０１−１０３への時間周波数リソース割り当てスキームにより割り当てられた様々な時間周波数ＲＢを示す。図に示されるように、様々なセル１０１−１０３は、時間及び／又は周波数の点で異なる割り当てられたＲＢ２５０がある。例えば、各々のＲＢ２５０は、例えば直交周波数分割多重方式（ＯＦＤＭ）について、用いられ得る数多くのサブキャリアを含み得る。説明に役立つ目的のために、帯域幅２０１およびセル１０１の帯域２００の全体の中央の周波数２０２が示される（図３に水平に破線で示される）。
【００４０】
ある時に、接続セル１０２／アクセルポイントノード３０２から、他のセル１０１、１０３／アクセルポイントノード３０１、３０３のひとつへの、ＵＥ１２０のハンドオーバが求められ得る。これのために、過去の機能によれば、セルラーネットワーク１００、例えばアクセルポイントノード３０２、がＵＥ１２０へ、近隣のセル１０１、１０３の帯域２００のうちのひとつから受信する信号の信号品質の測定をＵＥ１２０に実行するように促す、制御メッセージを送信することは可能である。リファレンス実装によれば、例えばＲＳＳＩ、ＲＳＲＰおよびＲＳＲＱのような値は近隣のセル１０１、１０３の全体の帯域２００について測定される。例えば、３ＧＰＰ  ＬＴＥ  ＲＡＴによれば、近隣のそれぞれのセル１０１、１０３の帯域の中央の周波数、すなわち絶対無線周波数チャネル番号（ＡＲＦＣＮ）、を指定する測定オブジェクトを含む、ＲＲＣＣоｎｎｅｃｔｉоｎＲｅｃｏｎｆｉｇｕｒａｔｉｏｎメッセージが送信され得る。従って、リファレンス実装によれば、測定の実行は、セルラーネットワーク１００のセル１０１−１０３の帯域２００に制限される。
【００４１】
以下に、いくつかのシナリオで、セルラーネットワーク１００のセル１０１−１０３の帯域２００と異なり得る、任意に定義される測定帯域３００で受信される信号の信号品質の測定の促しおよび実行を可能にする技術を詳細に説明する。これは、必要に応じて信号品質を柔軟に測定することを可能にする。例えば、周波数分解の信号品質が決定されてもよい。
【００４２】
図３はまた、測定帯域３００を決定する柔軟性の特徴を示している。例えば、図３の例の中で、測定帯域３００がより大きく、セル１０３の帯域２００を含み、セル１０２の帯域２００に部分的に重なり合い、セル１０１の帯域２００の小部分もしくはセル１０１の帯域２００に含まれる小部分である。以下に開示される様々なシナリオで、全てのそのような設定、およびさらなる設定は、セルラーネットワーク１００のセル１０１−１０３の帯域と異なる測定帯域に適用されることが可能である。以下に開示される様々なシナリオでの測定帯域は、任意に、すなわちセルラーネットワーク１００のセル１０１−１０３の帯域２００のとは独立で、定義されてもよい。
【００４３】
いくつかのシナリオで、当該測定は絶対的に定義されてもよい。これはセルラーネットワーク１００のセル１０１−１０３のどれも望めない場所で便利になり得る。他のシナリオで、測定帯域３００はセルラーネットワーク１００のセル１０１−１０３に対して相対的に定義されてもよい。これは、ターゲットセル１０１−１０３の帯域２００のパラメータへの参照により、無駄がなく効率的な方法で正確に測定帯域３００を定義する、効率的な制御シグナリングを実装することが可能になる。リファレンス実装との後方適合性もまた、達成され得る。
【００４４】
図４で、ターゲットセル１０１−１０３の帯域２００に対して測定帯域３０１−３１６の相対的な定義に対して様々な例が示される。図４で、ターゲットセル１０１−１０３の帯域２００の帯域幅２０１および中央の周波数２０２が示される。例えば、図４で示される帯域幅２０１および中央の周波数２０２が示されるターゲットセル１０１−１０３が、それを経由してＵＥ１２０がセルラーネットワーク１００に接続される、接続セル１０２であってもよく、もしくは他のセル１０１、１０３であってもよい。図４は、それぞれの信号品質の測定の実行が促され実行される、１または２以上の測定帯域３０１−３１６についての設定例Ａ−Ｅを示す。
【００４５】
設定例Ａ：信号品質の測定は、互いに隣接して配置され、ターゲットセル１０１−１０３の与えられた帯域２００を超えて拡大する８つの測定帯域３０１−３０８について、例えば連続的にもしくは一部並行して、促され実行される。これ故に、ターゲットセル１０１−１０３の帯域２００は、各々の単一の測定帯域３０３−３０６と異なり、各々の単一の測定帯域３０３−３０６を含む。また一方で、結合された複数の測定帯域３０１−３０８は、ターゲットセル１０１−１０３の帯域２００と異なり、ターゲットセル１０１−１０３の帯域２００を含む。
【００４６】
設定例Ｂ：信号品質の測定は、ターゲットセル１０１−１０３の帯域２００を超えて拡大する単一の測定帯域３０９について、促され実行される。これ故に、測定帯域３０９はターゲットセル１０１−１０３の帯域２００と異なり、ターゲットセル１０１−１０３の帯域２００を含む。
【００４７】
設定例Ｃ：信号品質の測定は、ターゲットセル１０１−１０３の帯域２００を超えて拡大しない単一の測定帯域３１０について、促され実行される。これ故に、２つの測定帯域３１１、３１２の各々のひとつは、ターゲットセル１０１−１０３の帯域２００と異なる。
【００４８】
設定例Ｄ：信号品質の測定は、ターゲットセル１０１−１０３の帯域２００に隣接もしくは外側に配置される２つの測定帯域３１１、３１２について、促され実行される。これ故に、２つの測定帯域３１１、３１２の各々のひとつは、ターゲットセル１０１−１０３の帯域２００と異なる。
【００４９】
設定例Ｅ：信号品質の測定は、帯域幅２０１および中央の周波数２０２が図４で示される４つの測定帯域３１３−３１６について、促され実行される。これ故に、ターゲットセル１０１−１０３の帯域２００は、４つの測定帯域３１３−３１６の各々のひとつと異なる。
【００５０】
図５は、測定帯域３００−３１６で受信される信号の信号品質の測定の促しおよび報告のために用いられるシグナリングを制御することに関しての特徴を示すシグナリングダイアグラムである。特に、図５は測定帯域３００−３１６を絶対的に、すなわちセルラーネットワーク１００のセル１０１−１０３の帯域２００への参照無しで、示すことに関しての特徴を示す。
【００５１】
図５は、ＵＥ１２０がセル１０２／アクセルポイントノード３０２を経由してセルラーネットワーク１００に接続されるシナリオを示す。上で述べたように、セル１０２は接続セル１０２と呼ばれる。
【００５２】
ある時点で、アクセルポイントノード３０２は接続セル１０２の帯域２００内でＵＥ１２０へ制御メッセージ８０１を送信する。図５のシナリオで、制御メッセージ８０１は、ＲＲＣＣоｎｎｅｃｔｉоｎＲｅｃｏｎｆｉｇｕｒａｔｉｏｎメッセージである。図５のシナリオで、制御メッセージ８０１は測定帯域３００−３１６を絶対的に示す。特に、制御メッセージ８０１は測定帯域３００−３１６の始まりの周波数と中央の周波数を示す。他のシナリオで、制御メッセージ８０１は測定帯域３００−３１６の中央の周波数および帯域幅を示す。以下に開示される様々なシナリオでは、制御メッセージ８０１は、複数の測定帯域３００−３１６（図４、シナリオＡおよびＥを参照すること）についてのインジケータを含む。
【００５３】
図５のシナリオで、８０２で、測定帯域３００−３１６で受信される信号の信号品質の測定は、セルラーネットワーク１００のさらなるセル３０１、３０３のいずれかひとつの帯域２００の参照や抜粋無しに実行されることが可能である。
【００５４】
次に、レポートメッセージ８０３が、ＵＥ１２０により送信されアクセルポイントノード３０２により受信される。レポートメッセージ８０３は通常、測定された信号品質を示すインジケータを含む。レポートメッセージ８０３は、図５の例で、８０２で測定されたＲＳＳＩおよびＲＳＲＰを含む測定レポートである。
【００５５】
図６は、図５におおよそ相当するシグナリングダイアグラムである。しかしながら図６に対して、制御メッセージ８１２が、ターゲットセル１０１−１０３の帯域２００の少なくとも１の帯域幅２０１、およびターゲットセル１０１−１０３の帯域２００の中央の周波数に対して、すなわち測定帯域３００−３１６の定義についてターゲットセル１０１−１０３の帯域を何らかの形で参照することにより、測定帯域３００−３１６を相対的に示すインジケータを含むシナリオが、示される。
【００５６】
通常、ターゲットセルは、それに対して測定帯域３００−３１６が示され、セルラーネットワーク１００の全てのセル１０１−１０３であることが可能である。図６の例で、ターゲットセルは、ＵＥ１２０を経由して接続され、セルラーネットワーク１００に接続される。
【００５７】
図６のシナリオで、ある時点でＵＥ１２０は、マスター情報ブロック（ＭＩＢ）の形式で制御メッセージを受信する。３ＧＰＰ  ＴＳ  ３６．３３１  Ｖ１２．６．０（２０１５）、セクション６．６．２“Ｍｅｓｓａｇｅ  ｄｉｆｉｎｉｔｉｏｎｓ”を参照すること。制御メッセージ８１１は、ターゲットセル１０２の帯域２００の帯域幅２０１、すなわちｄｌ＿Ｂａｎｄｗｉｄｔｈパラメータ、を示すインジケータを含む。例えば、当該インジケータは、ターゲットセル１０２の帯域２００の帯域幅２０１を明確に、すなわち特定の周波数範囲を指定して、及び／又は暗黙的に、例えばＲＢの数を参照して、示す。
【００５８】
図６の例で、制御メッセージ８１１は、マルチキャストもしくはブロードキャスト伝送中で、すなわちＵＥ１２０を独占的な対象とせず定義されていない複数の受信者を対象として、通信される。例えば、アクセルポイントノード３０２は、時間内に繰り返される時点で、例えば事前定義された周波数で、制御メッセージ８１１を送信するように構成されてもよい。例えば、ＵＥ１２０は、初期接続もしくはハンドオーバの期間中、制御メッセージ８１１を受信してもよい。
【００５９】
いくつかの時点で、アクセルポイントノード３０２は、ＵＥ１２０により受信される制御メッセージ８１１を送信する。制御メッセージ８１２は、ターゲットセル１０２の帯域２００の帯域幅２０１の中央の周波数に対して、測定帯域３００−３１６を相対的に示す、すなわちターゲットセル１０２の帯域２００を示すＡＲＦＣＮを含む、インジケータを含む。さらに、制御メッセージ８１２は、ターゲットセル１０２を示すインジケータ、すなわち示されるシナリオ内ではｃｅｌｌ＿ＩＤ、を含む。さらに、制御メッセージ８１２は、制御メッセージ８１１により示される、ターゲットセル１０２の帯域２００の帯域幅２０１に対して測定帯域３００−３１６を相対的に定義するサブセットもしくは小部分を示す。例えば、当該サブセットは、測定帯域がターゲットセル１０２の帯域２００の帯域幅２０１の半分に及ぶであろうことを特定することが可能である。例えば、当該サブセットは、測定はターゲットセル１０２の帯域２００の中央の周波数２０２に対して、一定量の差によるオフセットであろうことを特定することが可能である。
【００６０】
図５（図６）のシナリオで、１つ（２つ）の制御メッセージ８１１、８１２が本開示の様々なシナリオで用いられる一方で、一般的に、より小さいもしくはより大きい数の制御メッセージは、信号品質の測定の実行を促すために用いられ得る。
【００６１】
よって、２つの制御メッセージ８１１、８１２に含まれる情報に基づき、ＵＥ１２０は８１３で、測定帯域３００−３１６で受信する信号の信号品質の測定を実行し、測定レポート８１４を送信する。８１３および８１４は８０２、８０３におおよそ相当する。
【００６２】
図７は、通常図６のシナリオに相当するシグナリングダイアグラムである。しかしながら、図６のシナリオで測定帯域３００−３１６が接続セル１０２に対して相対的に指定される一方、図７のシナリオで、測定帯域３００−３１６は、アクセルポイントノード３０１から供給され、ＵＥ１２０が経由してセルラーネットワークに接続されない、さらなるセル１０１に対して相対的に指定される。これ故に、ターゲットセル１０１は、接続セル１０２と異なる。
【００６３】
そして、図７のシナリオで、ＵＥ１２０はアクセルポイントノード３０１からＭＩＢの形式でブロードキャスト制御メッセージ８２１を受信する。ＵＥ１２０は、制御メッセージ８１２におおよそ相当するが、ターゲットセル１０１を示す制御メッセージ８１２を受信することのみに応えて、制御メッセージ８２１をリスンし受信する。よって、制御メッセージ８２１は、ターゲットセル１０１の帯域２００の帯域幅２０１を示すインジケータを含む。
【００６４】
８２３、８２４はおおよそ８１３、８１４に相当する。
【００６５】
図５−７に関して、上記の、例のシナリオは、受信する制御メッセージ８０１、８１２、８２２に応じて、それぞれ測定帯域２００の測定された信号品質を示すインジケータを含む単一のレポートメッセージ８０３、８１４、８２４が送信される。通常、本開示の様々なシナリオで、要求メッセージは信号品質の複数の測定、例えば異なる測定帯域３００−３１６もしくは繰り返し同じ測定帯域３００−３１６で、の実行を促すことが可能である。例えば様々なシナリオで、要求メッセージはひとつの測定帯域３００−３１６および同じ測定帯域３００−３１６での信号品質の複数の時間分散測定の実行を促すことが可能であってよい。替わりに、もしくは加えて、要求メッセージはまた、複数の測定帯域３００−３１６の複数の測定の実行を促すこともまた可能である。複数の測定レポートは、シグナリングロードを減らすために、ひとつの測定レポートに統合してもよい。
【００６６】
例えば同じシナリオで、測定帯域３００−３１６で受信する信号の信号品質の測定の実行を促す制御メッセージは、タイムスケジュールを示すことが可能であり、従って、測定帯域３００−３１６で受信する信号の信号品質の複数の時間分散測定をタイムスケジュールを基づいて実行させることが可能である。例えば、当該タイムスケジュールは、測定帯域３００−３１６で受信する信号の信号品質の複数の測定が実行される周波数を指定してもよい。例えば、当該タイムスケジュールは、測定帯域３００−３１６で受信する信号の信号品質の複数の測定が実行される時点をあらかじめ指定してもよい。そのようなシナリオで、複数の測定の実行を促す制御メッセージをあらかじめ送信することが可能になる。例えば、制御メッセージは、初期接続もしくはネゴシエーション段階の期間中に送信されてもよい。
【００６７】
図８は、ＵＥ１２０を概略的に示す。ＵＥ１２０はプロセッサ９０２、例えばマルチコアプロセッサ、を含む。プロセッサ９０２はメモリ９０３、例えば不揮発性メモリ、に結合される。プロセッサ９０２はさらにヒューマンマシンインターフェース（ＨＭＩ）９０４に結合される。情報はＨＭＩ９０４を経由してユーザに出力され、及び／又は情報はユーザから入力される。
【００６８】
ＵＥ１２０はさらにデータインターフェース９０１を含む。データインターフェース９０１はさらに、送信環境もしくは受信環境を含むアナログトランシーバ９０５を含む。アナログトランシーバ９０５は、セルラーネットワーク１００のセル１０１−１０３の様々な帯域２００で無線で送信及び／又は受信（送受信）するように構成される。データインターフェース９０１は、アナログトランシーバ９０５を経由するＵＬおよびＤＬ両方の中でセルラーネットワーク１００との通信を促進する。
【００６９】
メモリ９０３は、プロセッサ９０２により実行され得るプログラムコードを格納し得る。当該プログラムコードの実行は、本開示における測定帯域３００−３１６で受信される信号の信号品質の測定の実行に関しての技術をプロセッサ９０２に実行させ得る。当該プログラムコードの実行は、信号品質の測定の実行を促す本開示の様々なシナリオによれば、制御メッセージ８０１、８１１、８１２、８２２を受信させ得て、および測定された信号品質のインジケータを含む本開示の様々なシナリオによれば、レポートメッセージ８０３、８１４、８２４の送信をプロセッサ９０２に実行させ得る。
【００７０】
図９は、アクセルポイントノード３０１−３０３をより詳細に示す。例えば、アクセルポイントノードは、ｅｖｏｌｖｅｄ  Ｎｏｄｅ  Ｂ（ｅＮＢ）でもよい。アクセルポイントノード３０１−３０３はプロセッサ９１２、例えばマルチコアプロセッサ、を含む。プロセッサ９１２はメモリ９１３、例えば不揮発性メモリ、に結合される。プロセッサ９０２はさらにヒューマンマシンインターフェース（ＨＭＩ）９１４に結合される。情報は、ＨＭＩ９１４を経由してユーザに出力され得て、それはユーザからＨＭＩ９０４経由して受信され得る。アクセルポイントノード３０１−３０３はさらに、データインターフェース９１１を含む。データインターフェース９１１は、アクセルポイントノード３０１−３０３により供給されるセルラーネットワーク１００のそれぞれのセル１０１−１０３の帯域２００で無線で送受信するように構成されるアナログトランシーバを含む。データインターフェース９１１は、ＵＬおよびＤＬ両方の中でアナログトランシーバ９１５を経由してＵＥ１２０と通信するように構成され得る。
【００７１】
メモリ９１３は、プロセッサ９１２により実行され得るプログラムコードを格納し得る。当該プログラムコードの実行は、本開示における測定帯域３００−３１６で受信される信号の信号品質の測定の実行をＵＥ１２０に促すことに関しての技術をプロセッサ９１２に実行させ得る。特に、当該プログラムコードの実行は、信号品質の測定の実行をＵＥ１２０に促す制御メッセージ８０１、８１１、８１２、８２２をＵＥ１２０へデータインターフェース９１１／アナログトランシーバ９１５を経由して、プロセッサ９１２に送信させ得る。さらに、当該プログラムコードの実行は、測定された信号品質を示すレポートメッセージ８０３、８１４、８２４をＵＥ１２０へデータインターフェース９１１／アナログトランシーバ９１５を経由して、プロセッサ９１２に受信させ得る。
【００７２】
図１０は、コアネットワークのネットワークノード３５０を示す。例えば、ネットワークノード３５０は、例えばＳｅｒｖｉｎｇ  Ｇａｔｅｗａｙ  Ｎｏｄｅ（ＳＧＷ）もしくはＰａｃｋｅｔ  Ｇａｔｅｗａｙ  Ｎｏｄｅ（ＰＧＷ）のような、ゲートウェイノードでもよい。ネットワークノード３５０はプロセッサ９２２、例えばマルチコアプロセッサ、を含む。ネットワークノード３５０は、さらにメモリ９２３、例えば不揮発性メモリ、を含む。ネットワークノード３５０は、さらにヒューマンマシンインターフェース（ＨＭＩ）９２４を含む。情報は、ＨＭＩ９２４を経由してユーザへ出力され得て、ユーザから入力され得る。ネットワークノード３５０は、さらにデータインターフェース９２１を含む。データインターフェース９２１は、ＵＬおよびＤＬ両方の中でＵＥ１２０と通信するように構成される。
【００７３】
メモリ９２３は、プロセッサ９２２により実行され得るプログラムコードを格納し得る。当該プログラムコードの実行は、本開示における測定帯域３００−３１６で受信される信号の信号品質の測定の実行をＵＥ１２０に促すことに関しての技術をプロセッサ９１２に実行させ得る。特に、当該プログラムコードの実行は、信号品質の測定の実行をＵＥ１２０に促す制御メッセージ８０１、８１１、８１２、８２２をＵＥ１２０へデータインターフェース９２１を経由して、プロセッサ９１２に送信させ得る。さらに、当該プログラムコードの実行は、測定された信号品質を示すレポートメッセージ８０３、８１４、８２４をＵＥ１２０からデータインターフェース９２１を経由して、プロセッサ９２２に受信させ得る。
【００７４】
例えば、ＵＥ１２０のメモリ９０３内に格納されたプログラムコードの実行は、図１１のフローに示される方法をプロセッサ９０２に実行させてもよい。最初に、１００１で、制御メッセージが受信される。制御メッセージ１００１は測定帯域３００−３１６を示す。制御メッセージは、測定帯域３００−３１６で受信される信号の信号品質の測定をＵＥ１２０に実行させるように促す。１００２で、測定帯域３００−３１６で受信される信号の信号品質の測定が実行される。必要に応じて、測定された信号品質を示す（図１１には表されていない）レポートメッセージは、セルラーネットワーク１００へ送信されてもよい。
【００７５】
例えば、アクセルポイントノード３０１−３０３のメモリ９１３もしくはネットワークノード３５０のメモリ９２３のどちらかに格納されたプログラムコードの実行は、図１２のフローチャートに示される方法をそれぞれのプロセッサに実行させてもよい。最初に、制御メッセージが、１０１１で、送信される。１０１１で送信される制御メッセージは、１００１で受信される制御メッセージにおおよそ相当する。
【００７６】
次に、レポートメッセージが、１０１２で、受信される。当該レポートメッセージは測定された信号品質を示す。
【００７７】
１０１３で、セルラーネットワーク１００の少なくとも１のセル１０１−１０３の帯域２００は、測定された信号品質に基づいて、変更される。１０１３は、任意のステップである。
【００７８】
図１３は、与えられたセル１０１−１０３の帯域２００を変更することに対しての特徴を、時間の関数として示す。図１３は、時間周波数リソーススキームを概略的に示す。図に示されるように、時間の進行を通して、制御チャネルの帯域１０１Ａは、全ての帯域幅を占有し変更されない、すなわち時間不変である。
【００７９】
初めに、セル１０１の物理ペイロードチャネルの帯域は、描写された周波数の全ての帯域２００を占有している。しかしながら、若干の時間周期の後で、サブセル１０１−１  −  １０１−３はセル１０１の帯域２００の変更により定義される。これは、ネットワークスライシングもしくはリソーススライシングと呼ばれる。
【００８０】
そのようなネットワークスライシングの技術は、様々なユーザもしくはクラス／ユーザのタイプとの間の合計の利用可能な帯域幅の分割に依存する伝送リソース割り当てスキームに応用され得る。図１３に示されるリソースグリッドは様々なサブセル１０１−１  −  １０１−３との間で共有され得る。異なるサブセル１０１−１  −  １０１−３は、合計の利用可能な帯域幅の中で多重化されることが可能であり、当該サブセル１０１−１  −  １０１−３は、時間周波数リソースグリッドの部分を使用している。
【００８１】
測定帯域３００−３１６の任意の定義に関して上で開示されている技術に基づいて、情報は、様々なセル１０１−１０３、１０１−１  −  １０１−３の帯域２００を効率的に変更することを許可することが可能であり得る。特に、上で示される技術は、利用可能な周波数スペクトルの異なる部分を使用する狭帯域と広帯域両方のシステムの共在を認める。異なる使用ケース及び／又は機器の性能に対して、様々なセルの帯域を最適化することが可能になる。
【００８２】
任意に定義された測定帯域３００−３１６に基づいて、セルラーネットワーク１００のスケジューラは、利用可能なスペクトルを利用することの異なる方法についての掘り下げた情報を柔軟に入手し得て、特に、情報はセル１００−１０３の使用中の帯域に制限されない測定帯域３００−３１６の柔軟な計測により、利用可能であり得る。よって、これらの技術は、例えばネットワークスライシングの技術に基づく時間の関数として変更される異なるセル１０１−１０３の帯域２００により柔軟にスペクトルを用いることができるようになった。
【００８３】
本発明が、いくつかの好ましい実施例に関して、表され説明されたが、均等物および変更点は、本明細書を読み理解した他の当業者の中で思い浮かぶだろう。本発明はそのような全ての均等物および変更点を全て含んでおり、続く請求項の範囲のみにより制限される。
【００８４】
例えば、上の様々な実施形態が、ＤＬ伝送のために受信される信号の測定に関して、開示された一方で、似たような技術は、ＵＬ伝送のために受信される信号のために容易に適用されてもよい。
【００８５】
例えば、上の様々な例が、３ＧＰＰ  ＬＴＥ  ＲＡＴに関して、開示された一方で、似たような技術は、ＲＡＴの異なる種類および類型に容易に適用されてもよい。
【図１】
0006668463.tif 000003
【図２】
0006668463.tif 000004
【図３】
0006668463.tif 000005
【図４】
0006668463.tif 000006
【図５】
0006668463.tif 000007
【図６】
0006668463.tif 000008
【図７】
0006668463.tif 000009
【図８】
0006668463.tif 000010
【図９】
0006668463.tif 000011
【図１０】
0006668463.tif 000012
【図１１】
0006668463.tif 000013
【図１２】
0006668463.tif 000014
【図１３】
0006668463.tif 000015